(57)【要約】【課題】操作状態に応じて容易に検知感度を変更できるタッチパネル、タッチパネルの感度変更方法を提供する。【解決手段】画面２５が押されるタッチ圧力を検知する圧力検知部３４と、画面２５がタッチされたタッチ操作を検出するための検知感度を変更可能に設定する感度設定部３２と、タッチ圧力に応じて検知感度の変更候補を画面２５に表示する表示部３１と、を備え、変更候補には、第１タッチ圧力で画面２５が押されたときにタッチ操作を検出し、第１タッチ圧力よりも小さい第２タッチ圧力で画面が押されたときにはタッチ操作を検出しない第１検知感度と、第１タッチ圧力及び第２タッチ圧力で画面が押されたときにタッチ操作を検出する第２検知感度と、が含まれ、感度設定部３２は、変更候補のうち選択された変更候補に応じて検知感度を変更する。【選択図】図２
2018197960.tif 000002
【特許請求の範囲】
【請求項１】
画面が押されるタッチ圧力を検知する圧力検知部と、
前記画面がタッチされたタッチ操作を検出するための検知感度を変更可能に設定する感度設定部と、
前記タッチ圧力に応じて前記検知感度の変更候補を前記画面に表示する表示部と、
を備え、
前記変更候補には、
第１タッチ圧力で前記画面が押されたときに前記タッチ操作を検出し、前記第１タッチ圧力よりも小さい第２タッチ圧力で前記画面が押されたときには前記タッチ操作を検出しない第１検知感度と、
前記第１タッチ圧力及び前記第２タッチ圧力で前記画面が押されたときに前記タッチ操作を検出する第２検知感度と、
が含まれ、
前記感度設定部は、前記変更候補のうち選択された変更候補に応じて前記検知感度を変更することを特徴とするタッチパネル。
【請求項２】
前記表示部は、前記画面に表示された変更ボタンが前記タッチ操作されると前記変更候補を前記画面に表示し、
前記画面において前記変更ボタンが表示される領域の前記検知感度は、前記変更ボタンが表示される領域とは異なる領域の前記検知感度に比べて高いことを特徴とする請求項１に記載のタッチパネル。
【請求項３】
前記表示部は、変更ボタンが押されると前記変更候補を前記画面に表示し、
前記感度設定部は、前記変更ボタンが押されてから前記変更候補が選択されるまでの前記検知感度を、前記変更ボタンが押される前の前記検知感度よりも高くすることを特徴とする請求項１又は請求項２に記載のタッチパネル。
【請求項４】
前記画面に表示された変更ボタンを操作可能な操作モードと、前記変更ボタンを操作不能な制限モードと、を切り替える切替部をさらに備え、
前記切替部は、前記画面が押されることによる切替操作に応じて前記操作モードと前記制限モードとを切り替え、
前記表示部は、前記制限モードから前記操作モードに切り替える前記切替操作に伴う前記タッチ圧力に応じて前記変更候補を前記画面に表示することを特徴とする請求項１〜請求項３のうち何れか一項に記載のタッチパネル。
【請求項５】
前記画面を押す押込量が変化する時間を取得する時間取得部を備え、
前記圧力検知部は、前記時間に基づいて前記タッチ圧力を検知することを特徴とする請求項１〜請求項４のうち何れか一項に記載のタッチパネル。
【請求項６】
画面が押されることによるタッチ操作を検出するための検知感度を変更可能に設定する感度設定部と、
前記検知感度に基づいて前記タッチ操作を検出する検出部と、
前記画面を押す押込量が変化する時間を取得する時間取得部と、
前記検知感度の変更候補を前記画面に表示する表示部と、
を備え、
前記表示部は、前記時間に応じて前記変更候補を表示し、
前記感度設定部は、前記変更候補のうち選択された変更候補に応じて前記検知感度を変更することを特徴とするタッチパネル。
【請求項７】
画面がタッチされたタッチ操作を検出するための検知感度を変更可能なタッチパネルの感度変更方法であって、
前記画面が押されるタッチ圧力を検知する圧力検知工程と、
前記タッチ圧力に応じて前記検知感度の変更候補を前記画面に表示する表示工程と、
前記変更候補のうち選択された変更候補に応じて前記検知感度を変更する変更工程と、
を含むことを特徴とするタッチパネルの感度変更方法。
【発明の詳細な説明】
【技術分野】
【０００１】
本発明は、タッチパネル、タッチパネルの感度変更方法に関する。
【背景技術】
【０００２】
表示部（画面）と、表示部の上に設けたタッチパネルと、を備える携帯端末装置がある（例えば特許文献１）。こうした携帯端末装置では、保護シートを貼付するとタッチパネルが反応しにくくなるなど操作性が低下することがある。
【０００３】
そのため、携帯端末装置では、保護シートを貼付した領域、及び保護シートを貼付しない領域が、それぞれタッチ操作されたときの静電容量の差に応じてタッチパネルの感度（検知感度）を設定していた。
【先行技術文献】
【特許文献】
【０００４】
【特許文献１】特開２０１３−１７５１０９号公報
【発明の概要】
【発明が解決しようとする課題】
【０００５】
タッチパネルは、例えば手袋をした状態で操作されるなど、操作状態が変わることがある。しかし、手袋をした状態でタッチ操作されたときの静電容量と、手袋を外した状態でタッチ操作されたときの静電容量と、の差に応じてタッチパネルの感度を設定するのは手間がかかる。
【０００６】
こうした課題は、静電容量方式のタッチパネルに限らず、タッチ操作を検出するタッチパネル、タッチパネルの感度変更方法においては、概ね共通している。
本発明の目的は、操作状態に応じて容易に検知感度を変更できるタッチパネル、タッチパネルの感度変更方法を提供することにある。
【課題を解決するための手段】
【０００７】
以下、上記課題を解決するための手段及びその作用効果について記載する。
上記課題を解決するタッチパネルは、画面が押されるタッチ圧力を検知する圧力検知部と、前記画面がタッチされたタッチ操作を検出するための検知感度を変更可能に設定する感度設定部と、前記タッチ圧力に応じて前記検知感度の変更候補を前記画面に表示する表示部と、を備え、前記変更候補には、第１タッチ圧力で前記画面が押されたときに前記タッチ操作を検出し、前記第１タッチ圧力よりも小さい第２タッチ圧力で前記画面が押されたときには前記タッチ操作を検出しない第１検知感度と、前記第１タッチ圧力及び前記第２タッチ圧力で前記画面が押されたときに前記タッチ操作を検出する第２検知感度と、が含まれ、前記感度設定部は、前記変更候補のうち選択された変更候補に応じて前記検知感度を変更する。
【０００８】
例えば、画面が素手でタッチ操作される場合と、手袋をしてタッチ操作される場合では、画面が押されるタッチ圧力が変化する。その点、この構成によれば、表示部は、タッチ圧力に応じて検知感度の変更候補を表示し、感度設定部は、選択された変更候補に応じて検知感度を変更する。そのため、操作状態に応じて容易に検知感度を変更できる。
【０００９】
上記タッチパネルにおいて、前記表示部は、前記画面に表示された変更ボタンが前記タッチ操作されると前記変更候補を前記画面に表示し、前記画面において前記変更ボタンが表示される領域の前記検知感度は、前記変更ボタンが表示される領域とは異なる領域の前記検知感度に比べて高いことが好ましい。
【００１０】
この構成によれば、変更ボタンが表示される領域の検知感度が高い。そのため、例えば手袋のように素手に比べて検出しにくい状態で変更ボタンが押された場合でも、タッチ操作を検出しやすくできる。
【００１１】
上記タッチパネルにおいて、前記表示部は、変更ボタンが押されると前記変更候補を前記画面に表示し、前記感度設定部は、前記変更ボタンが押されてから前記変更候補が選択されるまでの前記検知感度を、前記変更ボタンが押される前の前記検知感度よりも高くすることが好ましい。
【００１２】
この構成によれば、感度設定部は、変更ボタンが押された後の検知感度を、変更ボタンが押される前の検知感度よりも高くする。そのため、例えば手袋のように素手に比べて検出しにくい状態でも、変更候補を選択するタッチ操作を検出しやすくできる。
【００１３】
上記タッチパネルは、前記画面に表示された変更ボタンを操作可能な操作モードと、前記変更ボタンを操作不能な制限モードと、を切り替える切替部をさらに備え、前記切替部は、前記画面が押されることによる切替操作に応じて前記操作モードと前記制限モードとを切り替え、前記表示部は、前記制限モードから前記操作モードに切り替える前記切替操作に伴う前記タッチ圧力に応じて前記変更候補を前記画面に表示することが好ましい。
【００１４】
この構成によれば、切替部が操作モードと制限モードとを切り替えるため、変更ボタンが誤操作される虞を低減できる。表示部は、制限モードから操作モードに切り替える切替操作に伴うタッチ圧力に応じて検知感度の変更候補を表示するため、タッチ圧力を別に取得する場合に比べ、検知感度を変更する手間を低減できる。
【００１５】
上記タッチパネルは、前記画面を押す押込量が変化する時間を取得する時間取得部を備え、前記圧力検知部は、前記時間に基づいて前記タッチ圧力を検知することが好ましい。
タッチ圧力が大きい場合には、タッチ圧力が小さい場合に比べて画面を押す押込量が変化する時間が短くなる。そのため、この構成によれば、圧力検知部は、時間取得部が取得した時間に基づいて容易にタッチ圧力を検知できる。
【００１６】
上記課題を解決するタッチパネルは、画面が押されることによるタッチ操作を検出するための検知感度を変更可能に設定する感度設定部と、前記検知感度に基づいて前記タッチ操作を検出する検出部と、前記画面を押す押込量が変化する時間を取得する時間取得部と、前記検知感度の変更候補を前記画面に表示する表示部と、を備え、前記表示部は、前記時間に応じて前記変更候補を表示し、前記感度設定部は、前記変更候補のうち選択された変更候補に応じて前記検知感度を変更する。
【００１７】
例えば、画面が素手でタッチ操作される場合と、手袋をしてタッチ操作される場合では、画面を押す押込量が変化する時間が異なる。その点、この構成によれば、表示部は、時間取得部が取得した時間に応じて検知感度の変更候補を表示し、感度設定部は、選択された変更候補に応じて検知感度を変更する。そのため、操作状態に応じて容易に検知感度を変更できる。
【００１８】
上記課題を解決するタッチパネルの感度変更方法は、画面がタッチされたタッチ操作を検出するための検知感度を変更可能なタッチパネルの感度変更方法であって、前記画面が押されるタッチ圧力を検知する圧力検知工程と、前記タッチ圧力に応じて前記検知感度の変更候補を前記画面に表示する表示工程と、前記変更候補のうち選択された変更候補に応じて前記検知感度を変更する変更工程と、を含む。
【００１９】
この構成によれば、上記タッチパネルと同様の効果を奏することができる。
【図面の簡単な説明】
【００２０】
【図１】タッチパネルを備える印刷装置の一実施形態の斜視図。
【図２】タッチパネルのブロック図。
【図３】操作モードでホームページを表示するタッチパネルの模式図。
【図４】制限モードでホームページを表示するタッチパネルの模式図。
【図５】タッチパネルの模式断面図。
【図６】不検知状態のタッチパネルの模式断面図。
【図７】第１検知状態のタッチパネルの模式断面図。
【図８】第２検知状態のタッチパネルの模式断面図。
【図９】第３検知状態のタッチパネルの模式断面図。
【図１０】押込量と時間との関係を示すグラフ。
【図１１】変更ページを表示するタッチパネルの模式図。
【図１２】感度変更ルーチンを示すフローチャート。
【図１３】第１変形例のタッチパネルの模式図。
【図１４】第２変形例のタッチパネルの模式断面図。
【図１５】第３変形例の押込量と時間との関係を示すグラフ。
【発明を実施するための形態】
【００２１】
以下、タッチパネルを備える印刷装置の一実施形態について図を参照して説明する。本実施形態の印刷装置は、例えば、用紙などの媒体にインクなどの液体を吐出することにより印刷（記録）するインクジェット式のプリンターである。
【００２２】
図１に示すように、印刷装置１１は、脚１２に支持される略直方体状の筐体１３と、筐体１３の背面に取り付けられ、筐体１３の背面から上方に向かって突出する給送部１４と、を備える。給送部１４には、媒体１５を円筒状に巻き重ねたロールが装填される。給送部１４は、ロールを回転可能に支持し、ロールを回転させることで媒体１５を解いて給送する。
【００２３】
筐体１３には、給送部１４から給送された媒体１５を筐体１３内へ導入するための導入口１７と、筐体１３内から媒体１５を排出するための排出口１８と、が形成されている。筐体１３内には、インクなどの液体を吐出して媒体１５に文字などの画像を印刷する印刷部１９が設けられている。
【００２４】
筐体１３の上面には、印刷装置１１を操作するための操作パネル２１が設けられている。操作パネル２１は、ユーザーが押し下げることで操作可能なスイッチ２２と、ユーザーが押すもしくは触れることでタッチ操作が可能なタッチパネル２３と、を備える。
【００２５】
図２に示すように、タッチパネル２３は、液晶パネルなどの画面２５と、画面２５が押されたことを検知する検知部２６と、タッチパネル２３を制御する制御部２７と、を備える。
【００２６】
制御部２７は、タッチ操作を検出する検出部２９と、時間を取得する時間取得部３０と、画面２５に画像などを表示する表示部３１と、タッチ操作を検出するための検知感度を変更可能に設定する感度設定部３２と、を備える。制御部２７は、モードを切り替える切替部３３と、画面２５が押されるタッチ圧力を検知する圧力検知部３４と、を備える。検出部２９は、画面２５が押されることによるタッチ操作を、検知感度に基づいて検出する。
【００２７】
図３に示すように、表示部３１は、タッチ操作されるボタン３５などの画像と背景の画像とを重ねたページを画面２５に表示する。図３に示すホームページＰ１は、変更ボタン３５ａを含む少なくとも１つ（図３では９つ）のボタン３５の画像と、背景の画像とを重ねたページである。
【００２８】
図３，図４に示すように、切替部３３は、画面２５が押されることによる切替操作に応じて画面２５に表示された変更ボタン３５ａを操作可能な操作モードと、変更ボタン３５ａを操作不能な制限モードと、を切り替える。図４に示すように、表示部３１は、制限モードが設定されると変更ボタン３５ａのタッチ操作を制限することを示す制限マーク３６を変更ボタン３５ａに重ねて表示する。
【００２９】
本実施形態では、変更ボタン３５ａを一定時間押す所謂長押しをモードを切り替える切替操作とする。切替部３３は、操作モードが設定された状態で切替操作がされると制限モードに切り替え、制限モードが設定された状態で切替操作がされると操作モードに切り替える。
【００３０】
図５に示すように、本実施形態のタッチパネル２３は、抵抗膜方式のタッチパネルであり、検知部２６は、画面２５を覆うように設けられている。タッチパネル２３には、画面２５及び検知部２６を保護する保護カバー３９を着脱可能に取り付けてもよい。保護カバー３９を装着した状態では、タッチ操作は保護カバー３９越しに行われる。
【００３１】
検知部２６は、電気抵抗のある抵抗膜４０が張られた複数（図２では３枚）のシート４１〜４３と、画面２５に張られた抵抗膜４０と、異なる抵抗膜４０の間に位置するスペーサー４４と、を備える。
【００３２】
図６〜図９では、抵抗膜４０の図示を省略し、スペーサー４４を大きく且つ指を小さく図示する。検知部２６は、最表面の第１シート４１が押されて抵抗膜４０同士が接触すると、画面２５が押されたことを検知して検知情報を出力する。検知情報には、画面２５においてタッチされた位置を示す位置情報と、押し込み量を示す押込情報と、が含まれる。
【００３３】
図６に示すように、何れの抵抗膜４０も接触していない状態を不検知状態Ａ０とする。
図７に示すように、第１シート４１が押され、第１シート４１の抵抗膜４０が第２シート４２の抵抗膜４０に接触した状態を第１検知状態Ａ１とする。すなわち、検知部２６は、第１シート４１が第１押込量Ｂ１だけ押された場合に、第１検知状態Ａ１を検知する。第１検知状態Ａ１は、画面２５が押され始めたことを検知した状態である。
【００３４】
図８に示すように、第１シート４１がさらに押され、第２シート４２の抵抗膜４０が第３シート４３の抵抗膜４０に接触した状態を第２検知状態Ａ２とする。すなわち、検知部２６は、第１シート４１が第２押込量Ｂ２だけ押された場合に、第２検知状態Ａ２を検知する。
【００３５】
図９に示すように、第３シート４３の抵抗膜４０が画面２５の抵抗膜４０に接触した状態を第３検知状態Ａ３とする。すなわち、検知部２６は、第１シート４１が第３押込量Ｂ３だけ押された場合に、第３検知状態Ａ３を検知する。第３検知状態Ａ３は、画面２５が押され切った状態である。
【００３６】
第１押込量Ｂ１は、第１シート４１と第２シート４２の間隔であり、スペーサー４４の高さと略一致する。第２押込量Ｂ２は、第１押込量Ｂ１の略２倍、第３押込量Ｂ３は、第１押込量Ｂ１の略３倍である。
【００３７】
次に、操作状態、タッチ圧力、及び所要時間の関係について説明する。
図１０に示すように、タッチパネル２３を操作する操作状態が変化すると、画面２５が押されるタッチ圧力と、画面２５を押す動作に要する所要時間が変化する。本実施形態の所要時間は、タッチ圧力が大きいほど短く、タッチ圧力が小さいほど長くなる。
【００３８】
図１０に実線で示す第１操作状態Ｃ１は、タッチパネル２３を素手で操作する状態である。一点鎖線で示す第２操作状態Ｃ２は、手袋をしてタッチパネル２３を操作する状態である。二点鎖線で示す第３操作状態Ｃ３は、タッチパネル２３に保護カバー３９を装着し、さらに手袋をして操作する状態である。
【００３９】
第１操作状態Ｃ１で画面２５を押すタッチ圧力は、第２操作状態Ｃ２で画面２５を押すタッチ圧力及び第３操作状態Ｃ３で画面２５を押すタッチ圧力よりも大きい。第２操作状態Ｃ２で画面２５を押すタッチ圧力は、第１操作状態Ｃ１で画面２５を押すタッチ圧力よりも小さく、第３操作状態Ｃ３で画面２５を押すタッチ圧力よりも大きい。
【００４０】
第１シート４１が第１押込量Ｂ１だけ押された時点を第１検知状態Ａ１を検知した第１時点ｔ１、第１シート４１が第２押込量Ｂ２だけ押された時点を第２検知状態Ａ２を検知した第２時点ｔ２とする。第１シート４１が第３押込量Ｂ３だけ押された時点を第３検知状態Ａ３を検知した第３時点ｔ３、第３シート４３が画面２５から離れた時点を、第３検知状態Ａ３が解除された第４時点ｔ４とする。第２シート４２が第３シート４３から離れた時点を第２検知状態Ａ２が解除された第５時点ｔ５、第１シート４１が第２シート４２から離れた時点を第１検知状態Ａ１が解除された第６時点ｔ６とする。
【００４１】
時間取得部３０は、画面２５を押す動作に要する所要時間を取得する。この所要時間とは、画面２５が押され始めてから押され切るまでに要する時間であり、画面２５を押す押込量が変化する時間でもある。本実施形態では、押込量が第１押込量Ｂ１から第３押込量Ｂ３まで変化するのに要する時間を所要時間とする。すなわち、所要時間は、第１時点ｔ１から第３時点ｔ３までの時間である。
【００４２】
タッチパネル２３では、画面２５をタッチした後、タッチした指などを画面２５から離す操作でも押込量は変化し、画面２５を押す操作と同程度の時間を要する。そのため、画面２５が押され切った第３検知状態Ａ３から不検知状態Ａ０まで戻るまでの時間を所要時間としてもよい。具体的には、第４時点ｔ４から第６時点ｔ６までの時間を所要時間としてもよい。
【００４３】
圧力検知部３４は、所要時間に基づいてタッチ圧力を検知する。例えば、圧力検知部３４は、所要時間が第１変更閾値Ｔａ１よりも短い場合に、第１タッチ圧力を検知する。圧力検知部３４は、所要時間が第１変更閾値Ｔａ１よりも長く、第２変更閾値Ｔａ２よりも短い場合に、第２タッチ圧力を検知する。圧力検知部３４は、所要時間が第２変更閾値Ｔａ２よりも長い場合に、第３タッチ圧力を検知する。
【００４４】
第１操作状態Ｃ１では、画面２５を押す動作に第１変更閾値Ｔａ１よりも短い第１所要時間Ｔ１を要し、圧力検知部３４は第１タッチ圧力を検知する。第２操作状態Ｃ２では、画面２５を押す動作に第１所要時間Ｔ１よりも長い第２所要時間Ｔ２を要する。第２所要時間Ｔ２は、第１変更閾値Ｔａ１よりも長く、第２変更閾値Ｔａ２よりも短いため、圧力検知部３４は、第２タッチ圧力を検知する。第３操作状態Ｃ３では、画面２５を押す動作に第２所要時間Ｔ２よりも長い第３所要時間Ｔ３を要する。第３所要時間Ｔ３は、第２変更閾値Ｔａ２よりも長いため、圧力検知部３４は、第３タッチ圧力を検知する。
【００４５】
図１１に示すように、表示部３１は、画面２５に表示された変更ボタン３５ａ（図３参照）がタッチ操作されると、検知感度の変更候補４６を含む変更ページＰ２を画面２５に表示する。このとき表示部３１は、検知感度の変更候補４６の一例である高、中、低を変更ボタン３５ａのタッチ操作に伴う所要時間もしくは画面２５が押されるタッチ圧力に応じて表示する。本実施形態の感度設定部３２は、検知感度を高、中、低の３段階で設定する。
【００４６】
図１１では、高を強調するように変更候補４６を表示する場合を図示する。強調表示には、文字サイズを大きくする、文字色を変える、背景色を変える、並び順を変えるなどの方法があり、表示部３１は、これらの方法のうち少なくとも１つの方法で強調表示する。
【００４７】
図１０，図１１に示すように、表示部３１は、所要時間が第１変更閾値Ｔａ１よりも短い場合、もしくは第１タッチ圧力の場合には、低を強調するように変更候補４６を表示する。表示部３１は、所要時間が第１変更閾値Ｔａ１よりも長く、第２変更閾値Ｔａ２よりも短い場合、もしくは第２タッチ圧力の場合には、中を強調するように変更候補４６を表示する。表示部３１は、所要時間が第２変更閾値Ｔａ２よりも長い場合、もしくは第３タッチ圧力の場合には、高を強調するように変更候補４６を表示する。
【００４８】
第１変更閾値Ｔａ１は、第１所要時間Ｔ１よりも長く、第２所要時間Ｔ２よりも短い時間であるのが好ましい。第２変更閾値Ｔａ２は、第２所要時間Ｔ２よりも長く、第３所要時間Ｔ３よりも短い時間であるのが好ましい。
【００４９】
そのため、第１操作状態Ｃ１で変更ボタン３５ａがタッチ操作されると、表示部３１は低を強調するように変更候補４６を表示する。第２操作状態Ｃ２で変更ボタン３５ａがタッチ操作されると、表示部３１は中を強調するように変更候補４６強調表示する。第３操作状態Ｃ３で変更ボタン３５ａがタッチ操作されると、表示部３１は高を強調するように変更候補４６を表示する。変更候補４６は、タッチ操作により選択可能である。感度設定部３２は、変更候補４６のうち選択された変更候補に応じて検知感度を変更する。
【００５０】
次に、検出部２９がタッチ操作を検出するための検知感度について説明する。
検知感度は、時間と押込量との関係で表され、検知感度が高い場合の方が検知感度が低い場合に比べ、タッチ操作を検出しやすい。
【００５１】
図１０に示すように、検知感度が高に設定されている場合、検出部２９は、検知部２６が第１検知状態Ａ１を検知すると、時間には関係なくタッチ操作を検出する。検知感度が中に設定されている場合、検出部２９は、検知部２６が第２検知状態Ａ２を検知し、且つ第１時点ｔ１から第２時点ｔ２までの所要時間が第１操作閾値Ｔｂ１よりも短い場合に、タッチ操作がされたと検出する。検知感度が低に設定されている場合、検出部２９は、検知部２６が第３検知状態Ａ３を検知し、且つ第１時点ｔ１から第３時点ｔ３までの所要時間が第２操作閾値Ｔｂ２よりも短い場合に、タッチ操作されたと検出する。
【００５２】
第１操作閾値Ｔｂ１は、第１時点ｔ１から第２操作状態Ｃ２における第２時点ｔ２’までの時間よりも長く、第１時点ｔ１から第３操作状態Ｃ３における第２時点ｔ２”までの時間よりも短い時間であるのが好ましい。第２操作閾値Ｔｂ２は、第１所要時間Ｔ１よりも長い時間であり、第２所要時間Ｔ２もしくは第３所要時間Ｔ３よりも短い時間であるのが好ましい。
【００５３】
そのため、検出部２９は、検知感度が第１検知感度の一例である低に設定されている場合には、第１タッチ圧力で画面２５が押されたときにタッチ操作を検出し、第２タッチ圧力及び第３タッチ圧力で画面２５が押されたときにはタッチ操作を検出しない。検出部２９は、検知感度が第２検知感度の一例である中に設定されている場合には、第１タッチ圧力及び第２タッチ圧力で画面２５が押されたときにタッチ操作を検出し、第３タッチ圧力で画面２５が押されたときにはタッチ操作を検出しない。検出部２９は、検知感度が第３検知感度の一例である高に設定されている場合には、第１タッチ圧力、第２タッチ圧力、及び第３タッチ圧力で画面２５が押されたときにタッチ操作を検出する。
【００５４】
次に、図１２に示すフローチャートを参照し、タッチパネル２３の感度変更方法について説明する。この感度変更ルーチンは、例えば印刷装置１１が起動され、タッチパネル２３が操作されていない不検知状態Ａ０で実行される。
【００５５】
図１２に示すように、ステップＳ１０１において、制御部２７は、検知部２６が第１検知状態Ａ１を検知したか否かを判断する。不検知状態Ａ０の場合は（ステップＳ１０１：ＮＯ）、制御部２７は、検知部２６が第１検知状態Ａ１を検知するまで待機する。
【００５６】
検知部２６が第１検知状態Ａ１を検知すると（ステップＳ１０１：ＹＥＳ、第１時点ｔ１）、ステップＳ１０２において、制御部２７は、押されたのが変更ボタン３５ａであるか否かを判断する。変更ボタン３５ａとは異なる位置が押された場合には（ステップＳ１０２：ＮＯ）、制御部２７は、処理を終了する。変更ボタン３５ａがタッチされた場合には（ステップＳ１０２：ＹＥＳ）、制御部２７は、処理をステップＳ１０３に移行する。
【００５７】
ステップＳ１０３において、制御部２７は、検知部２６が第３検知状態Ａ３を検知したか否かを判断する。第１検知状態Ａ１もしくは第２検知状態Ａ２の場合には（ステップＳ１０３：ＮＯ）、制御部２７は、検知部２６が第３検知状態Ａ３を検知するまで待機する。
【００５８】
検知部２６が第３検知状態Ａ３を検知すると（ステップＳ１０３：ＹＥＳ、第３時点ｔ３）、ステップＳ１０４において、制御部２７は、第３検知状態Ａ３が解除されたか否かを判断する。
【００５９】
第３検知状態Ａ３が維持されている場合には（ステップＳ１０４：ＮＯ）、制御部２７は、第３検知状態Ａ３が解除されるまで待機する。第３検知状態Ａ３が解除されると（ステップＳ１０４：ＹＥＳ、第４時点ｔ４）、ステップＳ１０５において、制御部２７は、切替操作がされたか否かを判断する。すなわち、制御部２７は、第３時点ｔ３から第４時点ｔ４までの時間が、切替閾値よりも長い場合には、切替操作であると判断し（ステップＳ１０５：ＹＥＳ）、処理をステップＳ１０６に移行する。
【００６０】
ステップＳ１０６において、制御部２７は、操作モードが設定されているか否かを判断する。操作モードが設定されている場合には（ステップＳ１０６：ＹＥＳ）、ステップＳ１０７において、制御部２７は、制限モードに切り替えて処理を終了する。
【００６１】
ステップＳ１０６において、制限モードが設定されている場合は（ステップＳ１０６：ＮＯ）、ステップＳ１０８において、制御部２７は、制限モードを操作モードに変更する。
【００６２】
ステップＳ１０９において、制御部２７は、第１検知状態Ａ１が解除されたか否かを判断する。第１検知状態Ａ１が解除されていない場合には（ステップＳ１０９：ＮＯ）、制御部２７は、第１検知状態Ａ１が解除されるまで待機する。第１検知状態Ａ１が解除されて不検知状態Ａ０になると（ステップＳ１０９：ＹＥＳ、第６時点ｔ６）、ステップＳ１１０において、制御部２７は、画面２５が押されるタッチ圧力を検知する（タッチ圧力検知工程）。すなわち、制御部２７は、画面２５を押す動作に要する所要時間である第１時点ｔ１から第３時点ｔ３、もしくは第４時点ｔ４から第６時点ｔ６までの時間である所要時間を取得し、所要時間に基づいてタッチ圧力を検知する。
【００６３】
ステップＳ１１１において、制御部２７は、検知感度の変更候補４６を所要時間もしくはタッチ圧力に応じて画面２５に表示する（表示工程）。ステップＳ１１２において、制御部２７は、検知部２６が第１検知状態Ａ１を検知したか否かを判断する。不検知状態Ａ０の場合には（ステップＳ１１２：ＮＯ）、制御部２７は、検知部２６が第１検知状態Ａ１を検知するまで待機する。検知部２６が第１検知状態Ａ１を検知すると（ステップＳ１１２：ＹＥＳ）、ステップＳ１１３において、制御部２７は、変更候補４６がタッチされたか否かを判断する。
【００６４】
変更候補４６がタッチされていない場合には（ステップＳ１１３：ＮＯ）、制御部２７は、処理をステップＳ１１２に移行する。変更候補４６がタッチされた場合には（ステップＳ１１２：ＹＥＳ）、ステップＳ１１４において、制御部２７は、変更候補４６のうち選択された変更候補に応じて検知感度を変更する（変更工程）。
【００６５】
ステップＳ１０５において、第３時点ｔ３から第４時点ｔ４までの時間が切替閾値よりも短く、切替操作ではない通常操作であった場合には（ステップＳ１０５：ＮＯ）、制御部２７は、処理をステップＳ１１５に移行する。
【００６６】
ステップＳ１１５において、制御部２７は、操作モードが設定されているか否かを判断する。操作モードが設定されている場合には（ステップＳ１１５：ＹＥＳ）、制御部２７は、処理をステップＳ１０９に移行する。制限モードが設定されている場合には（ステップＳ１１５：ＮＯ）、制御部２７は、処理を終了する。
【００６７】
次に、タッチパネル２３の作用について説明する。
図３に示すように、画面２５において変更ボタン３５ａが表示される領域の検知感度は、変更ボタン３５ａが表示される領域とは異なる領域の検知感度に比べて高い。本実施形態では、変更ボタン３５ａが表示される領域の検知感度は、感度設定部３２が変更した検知感度に関わらず高に設定されている。そのため、変更ボタン３５ａが押されて検知部２６が第１検知状態Ａ１を検知すると、検出部２９はタッチ操作を検出する。
【００６８】
図４に示すように、タッチ操作がモードを切り替える切替操作であった場合、切替部３３は、操作モードと制限モードとを切り替える。制限モードが設定されると、検出部２９は切替操作以外の変更ボタン３５ａに関するタッチ操作を検出しない。
【００６９】
制限モードで切替操作がされると、切替部３３は操作モードに切り替える。このとき、時間取得部３０は、制限モードから操作モードに切り替える切替操作に伴う所要時間及びタッチ圧力を取得し、表示部３１は、所要時間もしくはタッチ圧力に応じて変更候補４６を画面２５に表示する。また、表示部３１は、操作モードにおいて変更ボタン３５ａがタッチ操作されると変更候補４６を画面２５に表示する。
【００７０】
図１１に示すように、このとき感度設定部３２は、変更ボタン３５ａがタッチ操作されてから変更候補４６が選択されるまでの検知感度を、変更ボタン３５ａがタッチ操作される前の検知感度よりも高くする。例えば感度設定部３２は、変更ボタン３５ａがタッチ操作されると、画面２５全体の検知感度を高に変更する。そのため、変更候補４６が表示された位置が押されて検知部２６が第１検知状態Ａ１を検知すると、検出部２９はタッチ操作を検出する。変更候補４６がタッチ操作されて選択されると、感度設定部３２は、選択された変更候補に応じて検知感度を変更する。
【００７１】
上記実施形態によれば、以下のような効果を得ることができる。
（１）例えば、画面２５が素手でタッチ操作される場合と、手袋をしてタッチ操作される場合では、画面２５が押されるタッチ圧力が変化する。その点、表示部３１は、タッチ圧力に応じて検知感度の変更候補４６を表示し、感度設定部３２は、選択された変更候補に応じて検知感度を変更する。そのため、操作状態に応じて容易に検知感度を変更できる。
【００７２】
（２）変更ボタン３５ａが表示される領域の検知感度が高い。そのため、例えば手袋のように素手に比べて検出しにくい状態で変更ボタン３５ａが押された場合でも、タッチ操作を検出しやすくできる。
【００７３】
（３）感度設定部３２は、変更ボタン３５ａが押された後の検知感度を、変更ボタン３５ａが押される前の検知感度よりも高くする。そのため、例えば手袋のように素手に比べて検出しにくい状態でも、変更候補４６を選択するタッチ操作を検出しやすくできる。
【００７４】
（４）切替部３３が操作モードと制限モードとを切り替えるため、変更ボタン３５ａが誤操作される虞を低減できる。表示部３１は、制限モードから操作モードに切り替える切替操作に伴うタッチ圧力に応じて検知感度の変更候補４６を表示するため、タッチ圧力を別に取得する場合に比べ、検知感度を変更する手間を低減できる。
【００７５】
（５）タッチ圧力が大きい場合には、タッチ圧力が小さい場合に比べて画面２５を押す押込量が変化する所要時間が短くなる。そのため、圧力検知部３４は、時間取得部３０が取得した所要時間に基づいて容易にタッチ圧力を検知できる。
【００７６】
（６）例えば、画面２５が素手でタッチ操作される場合と、手袋をしてタッチ操作される場合では、画面２５を押す押込量が変化する所要時間が異なる。その点、表示部３１は、時間取得部３０が取得した所要時間に応じて検知感度の変更候補４６を表示し、感度設定部３２は、選択された変更候補４６に応じて検知感度を変更する。そのため、操作状態に応じて容易に検知感度を変更できる。
【００７７】
上記実施形態は以下に示す変更例のように変更してもよい。上記実施形態と下記変更例とは、任意に組み合わせてもよい。
・図１３に示すように、変更候補４６は、操作状態を表す表示にしてもよい（第１変形例）。操作状態には、タッチパネル２３用の専用手袋、ゴム手袋及びビニール手袋などの作業手袋、タッチペン、タッチパネル２３に貼り付ける保護シート、保護カバー３９などがある。変更候補４６は、登録及び変更可能としてもよい。変更候補４６は、複数の操作状態を選択可能としてもよい。
【００７８】
・図１４に示すように、時間取得部３０は、画面２５を押す動作によって指などとタッチパネル２３とが接触する接触領域Ｄの面積もしくは直径などの長さＬなどの変化から所要時間を取得してもよい（第２変形例）。例えば、画面２５に触れたことを検知した状態を第１検知状態Ａ１、接触領域Ｄの面積が第１閾値面積よりも大きい状態を第２検知状態Ａ２、接触領域Ｄの面積が第２閾値面積よりも大きい状態を第３検知状態Ａ３としてもよい。
【００７９】
タッチパネル２３は、接触領域Ｄを検知可能な任意の方式としてもよい。例えば、タッチパネル２３は、検知部２６の一例である投光器と受光器を備え、影の位置を検知することによりタッチ操作を検出する光学方式としてもよい。タッチパネル２３は、静電容量の変化を検知することでタッチ操作を検出する静電容量方式としてもよい。タッチパネル２３は、超音波方式、赤外線走査方式、などとしてもよい。
【００８０】
・図１５に示すように、第１操作状態Ｃ１〜第３操作状態Ｃ３のうち少なくとも１つの操作状態で画面２５を押すタッチ圧力は、画面２５を押し切るのに必要なタッチ圧力より小さくてもよい（第３変形例）。この場合、検知部２６を画面２５が押されるタッチ圧力を検知する圧力検知部としてもよい。
【００８１】
図１５に示すように、第１操作状態Ｃ１で画面２５を押すタッチ圧力は、第３シート４３の抵抗膜４０が画面２５の抵抗膜４０に接触するのに必要な圧力以上である。第２操作状態Ｃ２と第３操作状態Ｃ３で画面２５を押すタッチ圧力は、画面２５を押し切るのに必要なタッチ圧力より小さい。
【００８２】
第２操作状態Ｃ２で画面２５を押すタッチ圧力は、第２シート４２の抵抗膜４０が第３シート４３の抵抗膜４０に接触するのに必要な圧力以上であり、第３シート４３の抵抗膜４０が画面２５の抵抗膜４０に接触するのに必要な圧力未満である。第３操作状態Ｃ３で画面２５を押すタッチ圧力は、第１シート４１の抵抗膜４０が第２シート４２の抵抗膜４０に接触するのに必要な圧力以上であり、第２シート４２の抵抗膜４０が第３シート４３の抵抗膜４０に接触するのに必要な圧力未満である。
【００８３】
検知部２６は、第１検知状態Ａ１を検知すると第３タッチ圧力を検知し、第２検知状態Ａ２を検知すると第２タッチ圧力を検知し、第３検知状態Ａ３を検知すると第３タッチ圧力を検知してもよい。感度設定部３２は、変更ボタン３５ａが操作されるときのタッチ圧力に応じて検知感度の変更候補４６を画面２５に表示してもよい。
【００８４】
・感度設定部３２は、検知感度を２段階に変更してもよい。例えば、感度設定部３２は、検知感度を第１検知感度の一例である高と、第２検知感度の一例である低と、に設定してもよい。感度設定部３２は、検知感度を４段階以上に変更してもよい。
【００８５】
・時間取得部３０が時間を取得する押込量が変化する範囲は、任意に設定してもよい。例えば、時間取得部３０は、押込量が第１押込量Ｂ１から第２押込量Ｂ２まで変化するのに要する時間、もしくは第２押込量Ｂ２から第３押込量Ｂ３まで変化するのに要する時間を所要時間として取得してもよい。時間取得部３０は、押込量が第３押込量Ｂ３から第２押込量Ｂ２まで変化するのに要する時間、もしくは第２押込量Ｂ２が第１押込量Ｂ１まで変化するのに要する時間を所要時間として取得してもよい。
【００８６】
・第１操作閾値Ｔｂ１と第２操作閾値Ｔｂ２は、同じであってもよい。第２操作閾値Ｔｂ２と第１変更閾値Ｔａ１は、同じであってもよい。
・切替操作は、任意に設定及び変更してもよい。切替操作は、例えば画面２５を２回タッチするダブルタップ、３回タッチするトリプルタップ、複数個所を同時にタッチするマルチタッチなどとしてもよい。変更ボタン３５ａとは異なる領域の操作を切替操作としてもよい。
【００８７】
・表示部３１は、制限モードから操作モードに切り替える切替操作がされた後、切替操作とは別の操作に伴う所要時間もしくはタッチ圧力に応じて変更候補４６を表示してもよい。
【００８８】
・タッチパネル２３は、切替部３３を備えない構成としてもよい。すなわち、タッチパネル２３は、制限モードを備えなくてもよい。
・表示部３１は、制限マーク３６を表示しなくてもよい。表示部３１は、操作モードと制限モードで、変更ボタン３５ａの色、透過度、大きさなどを変更してもよい。制限モードでは、変更ボタン３５ａを表示しなくてもよい。
【００８９】
・変更ボタン３５ａは、画面２５に表示されるボタン３５に限らず、スイッチ２２としてもよい。表示部３１は、スイッチ２２の変更ボタンが押されると、変更ボタンが押される前もしくは後の画面２５を押す動作に要する所要時間もしくはタッチ圧力に応じて変更候補４６を画面２５に表示してもよい。感度設定部３２は、変更ボタンが押されると、変更ボタンが押されてから変更候補４６が選択されるまでの検知感度を、変更ボタンが押される前の検知感度よりも高くしてもよい。
【００９０】
・変更ボタン３５ａが押される前の検知感度と、変更ボタン３５ａが押された後の検知感度は、同じとしてもよい。
・変更ボタン３５ａが表示される領域の検知感度は、変更ボタン３５ａが表示される領域とは異なる領域の検知感度と同じであってもよい。
【００９１】
・抵抗膜方式などでタッチ圧力に応じて流れる電流量を検知して、ある閾値以上の電流が流れた場合にタッチされたと検知している場合には、流す電流量を増減させることによって、検知感度をかえるようにしてもよい。
【００９２】
・タッチパネル２３は、スマートグラス及びスマートウォッチのようなウェアラブル機器、パソコン、タブレットとしてもよい。タッチパネル２３は、スキャナーなどの画像読取装置、コピー機などの複合機に設けてもよい。
【符号の説明】
【００９３】
１１…印刷装置、１２…脚、１３…筐体、１４…給送部、１５…媒体、１７…導入口、１８…排出口、１９…印刷部、２１…操作パネル、２２…スイッチ、２３…タッチパネル、２５…画面、２６…検知部、２７…制御部、２９…検出部、３０…時間取得部、３１…表示部、３２…感度設定部、３３…切替部、３４…圧力検知部、３５…ボタン、３５ａ…変更ボタン、３６…制限マーク、３９…保護カバー、４０…抵抗膜、４１〜４３…第１シート〜第３シート、４４…スペーサー、４６…変更候補、Ａ０…不検知状態、Ａ１〜Ａ３…第１検知状態〜第３検知状態、Ｂ１〜Ｂ３…第１押込量〜第３押込量、Ｃ１〜Ｃ３…第１操作状態〜第３操作状態、Ｄ…接触領域、Ｌ…長さ、Ｐ１…ホームページ、Ｐ２…変更ページ、Ｔ１〜Ｔ３…第１所要時間〜第３所要時間、Ｔａ１…第１変更閾値、Ｔａ２…第２変更閾値、Ｔｂ１…第１操作閾値、Ｔｂ２…第２操作閾値、ｔ１〜ｔ６…第１時点〜第６時点。
【図１】
2018197960.tif 000003
【図２】
2018197960.tif 000004
【図３】
2018197960.tif 000005
【図４】
2018197960.tif 000006
【図５】
2018197960.tif 000007
【図６】
2018197960.tif 000008
【図７】
2018197960.tif 000009
【図８】
2018197960.tif 000010
【図９】
2018197960.tif 000011
【図１０】
2018197960.tif 000012
【図１１】
2018197960.tif 000013
【図１２】
2018197960.tif 000014
【図１３】
2018197960.tif 000015
【図１４】
2018197960.tif 000016
【図１５】
2018197960.tif 000017